(57)【要約】【課題】できるだけ少ない画面切り替え回数で、深い階層のデータまで入手できるようにする。【解決手段】情報検索装置１は、タッチパネル付き表示部１１と、検索エンジン部１３と、データベース１６を備え、タッチパネル付き表示部１１の表示画面には多角形の検索結果表示窓２０が設定される。検索結果表示窓２０の複数の辺には、辺毎にカテゴリー分けされた検索条件タブが複数個ずつ配列されている。使用者が検索結果表示窓２０のいずれかの辺の検索条件タブの一つに、またはいくつかの辺の検索条件タブの一つずつに、タッチして検索条件入力を行うと、検索エンジン部１３は選択された検索条件を満たすデータをデータベース１６で検索し、検索完了次第ヒットしたデータ項目を検索結果表示窓２０に一覧表示する。【選択図】図２
2010061486.tif 000002
【特許請求の範囲】
【請求項１】
タッチパネル付き表示部と、
検索エンジン部と、
データベースを備え、
前記表示部の表示画面には多角形の検索結果表示窓が設定され、この検索結果表示窓の複数の辺には、辺毎にカテゴリー分けされた検索条件タブが複数個ずつ配列されており、
使用者が前記検索結果表示窓のいずれかの辺の検索条件タブの一つに、またはいくつかの辺の検索条件タブの一つずつに、タッチして検索条件入力を行うと、前記検索エンジン部は選択された検索条件タブの検索条件を満たすデータを前記データベースで検索し、検索完了次第ヒットしたデータ項目を前記検索結果表示窓に一覧表示することを特徴とする情報検索装置。
【請求項２】
前記検索条件タブは、同一カテゴリー内で複数選択が可能であることを特徴とする請求項１に記載の情報検索装置。
【請求項３】
前記検索条件タブに対し特定方式のタッチを行うことによりその検索条件タブの選択が固定され、同一カテゴリー内の他のタブを併せて選択することが可能になることを特徴とする請求項２に記載の情報検索装置。
【請求項４】
前記検索結果表示窓に一覧表示されたデータ項目のいずれかに使用者がタッチすると、前記検索エンジン部はタッチされたデータ項目に付属する詳細データを前記検索結果表示窓に表示することを特徴とする請求項１から３のいずれか１項に記載の情報検索装置。
【請求項５】
前記データベースに格納されたデータが料理レシピであることを特徴とする請求項１から４のいずれか１項に記載の情報検索装置。
【発明の詳細な説明】
【技術分野】
【０００１】
本発明は情報検索装置に関する。
【背景技術】
【０００２】
コンピュータ利用の情報検索装置は、これまでに様々なものが提案されている。その例を特許文献１〜３に見ることができる。
【０００３】
特許文献１にはレシピ検索システムが記載されている。このシステムでは、レシピ用サーバに端末でアクセスし、端末に表示されるレシピ検索画面で、ボタンを押したりキーワードを入力したりしてデータを入手する。
【０００４】
特許文献２には電子買い物支援装置が記載されている。この装置は、料理データベースを備えた携帯情報端末機器の表示制御手段に、料理に使用する材料の集合である「買い物リスト」を表示させ、購入済み材料にチェックマークを付与することができる仕組みを備えている。
【０００５】
特許文献３には料理レシピ処理装置が記載されている。この装置では、画面に表示されるボタンを順次クリックして行くことにより、深い階層のデータにたどり着くことができるようになっている。
【特許文献１】特開２００３−２７１７１２号公報
【特許文献２】特開２００４−２５８９９５号公報
【特許文献３】特開平１１−１３４３２２号公報
【発明の開示】
【発明が解決しようとする課題】
【０００６】
特許文献１〜３記載の情報検索装置は、検索条件を変えて検索するのに一々画面を切り替えたり、元の画面に戻ったりする必要があり、検索条件の入力に手間がかかる。本発明はこの点に鑑みなされたものであり、できるだけ少ない画面切り替え回数で、深い階層のデータまで入手できるようにすることを目的とする。
【課題を解決するための手段】
【０００７】
上記目的を達成するために、本発明に係る情報検索装置は、タッチパネル付き表示部と、検索エンジン部と、データベースを備え、前記表示部の表示画面には多角形の検索結果表示窓が設定され、この検索結果表示窓の複数の辺には、辺毎にカテゴリー分けされた検索条件タブが複数個ずつ配列されており、使用者が前記検索結果表示窓のいずれかの辺の検索条件タブの一つに、またはいくつかの辺の検索条件タブの一つずつに、タッチして検索条件入力を行うと、前記検索エンジン部は選択された検索条件を満たすデータを前記データベースで検索し、検索完了次第ヒットしたデータ項目を前記検索結果表示窓に一覧表示することを特徴としている。
【０００８】
この構成によれば、使用者が検索結果表示窓の周囲に配置された検索条件タブにタッチすると、タッチされた検索条件タブの検索条件を満たすデータ項目が、検索完了次第検索結果表示窓に一覧表示される。検索結果表示窓の異なる辺の検索条件タブにタッチして行けば、重畳した検索条件を満たすデータ項目が検索完了次第リアルタイムで検索結果表示窓に表示されるから、一々「検索」ボタンを押して検索結果を呼び出し、検索画面→検索結果表示→検索画面といった具合に何回も画面を往復する必要がなく、検索をスピードアップすることができる。また、異なるカテゴリーの検索条件タブが一つの画面に現れているから、異なるカテゴリーの検索条件タブにアクセスするのに「戻る」ボタンで画面を切り替える必要もない。さらに、情報検索操作を画面へのタッチだけで行えるから、キー操作の得意でない使用者でも誤りなくスピーディーにデータを入手することができる。
【０００９】
また本発明は、上記構成の情報検索装置において、前記検索条件タブは、同一カテゴリー内で複数選択が可能であることを特徴としている。
【００１０】
この構成によると、同一カテゴリー内で複数の検索条件タブを選択できるから、情報検索の自由度が広がる。
【００１１】
また本発明は、上記構成の情報検索装置において、前記検索条件タブに対し特定方式のタッチを行うことによりその検索条件タブの選択が固定され、同一カテゴリー内の他のタブを併せて選択することが可能になることを特徴としている。
【００１２】
この構成によると、同一カテゴリー内で必須条件を含む複数の条件を選択したい場合、必須の検索条件タブを固定しておいて、それ以外の検索条件タブを適宜追加で選択できるので、操作性が向上する。
【００１３】
また本発明は、上記構成の情報検索装置において、前記検索結果表示窓に一覧表示されたデータ項目のいずれかに使用者がタッチすると、前記検索エンジン部はタッチされたデータ項目に付属する詳細データを前記検索結果表示窓に表示することを特徴としている。
【００１４】
この構成によると、詳細情報を速やかに入手することができる。
【００１５】
また本発明は、上記構成の情報検索装置において、前記データベースに格納されたデータが料理レシピであることを特徴としている。
【００１６】
この構成によると、慌ただしい食事準備時に料理レシピを速やかに入手することができる。キーボードによらず料理レシピを検索できるので、厨房のような水のかかりやすい環境で使用しても装置故障のおそれが少ない。
【発明の効果】
【００１７】
本発明によると、一つの画面におけるタッチ操作だけで、いくつもの検索条件を重畳させた深い階層のデータにたどり着けるから、検索時間を短縮できる。また検索操作を画面へのタッチだけで行えるから、キー操作の得意でない使用者でも誤りなくスピーディーにデータを入手することができる。
【発明を実施するための最良の形態】
【００１８】
以下本発明の実施形態を図１、２に基づき説明する。図１、２はいずれも情報検索装置の概略構成図にして、異なる状態を示すものである。
【００１９】
情報検索装置１は携帯情報端末（ＰＤＡ）として構成されている。情報検索装置１は手で持てる大きさの筐体１０を備え、筐体１０の表面にはタッチパネル付き表示部１１と電源／クリアボタン１２が設けられている。タッチパネル付き表示部１１は液晶表示パネルのような表示手段の表面にタッチパネルを貼り付け、特定の箇所にタッチすることにより特定の操作を行えるようにしたものである。電源／クリアボタン１２は電源のＯＮ／ＯＦＦと入力した検索条件のクリアに用いる。電源／クリアボタン１２を長く（例えば２秒以上）押せば電源ＯＮ／ＯＦＦが実行され、短く（例えば１秒未満）押せば入力した検索条件のクリアが実行される。
【００２０】
情報検索装置１は内蔵したマイクロプロセッサ及びそれに付属する記憶装置に様々な機能を実行させる。本発明では検索エンジン部の機能とデータベースの機能が重要なので、それらだけを図に表示する。検索エンジン部１３は演算部１４と記憶部１５を含む。演算部１４は検索のデータ処理を行うものであり、記憶部１５はデータ処理に必要なプログラムを記憶している。データベース１６には検索対象であるデータが格納されている。データとして格納されているのは料理レシピである。
【００２１】
情報検索装置１は次のように用いる。停止状態にある情報検索装置１の電源／クリアボタン１２を長押しして電源をＯＮにすると、タッチパネル付き表示部１１に図のような検索画面が開く。
【００２２】
検索画面の中央には多角形の検索結果表示窓２０が設定される。検索結果表示窓２０の形状は、実施形態では四角形となっているが、それ以外の多角形（三角形、五角形、六角形、八角形等）であっても構わない。検索結果表窓２０の辺の内、複数のもの（実施形態では四辺全部）には、辺毎にカテゴリー分けされた検索条件タブが複数個ずつ配列されている。その配列状況を以下に説明する。
【００２３】
検索結果表示窓２０の上辺には「料理の国籍性（エスニシティ）」のカテゴリーに属する検索条件タブが横一列に３個並ぶ。すなわち「なし」タブ２１ａ、「和風」タブ２１ｂ、「洋風」タブ２１ｃである。
【００２４】
検索結果表示窓２０の下辺には「食材」のカテゴリーに属する検索条件タブが横一列に３個並ぶ。すなわち「なし」タブ２２ａ、「肉」タブ２２ｂ、「魚」タブ２２ｃである。
【００２５】
検索結果表示窓２０の左辺には「調理法」のカテゴリーに属する検索条件タブが縦一列に３個並ぶ。すなわち「なし」タブ２３ａ、「焼物」タブ２３ｂ、「煮物」タブ２３ｃである。
【００２６】
検索結果表示窓２０の右辺には「調理時間」のカテゴリーに属する検索条件タブが縦一列に３個並ぶ。すなわち「なし」タブ２４ａ、「３０分」タブ２４ｂ、「６０分」タブ２４ｃである。
【００２７】
図では検索結果表示窓２０の各辺に検索条件タブは３個ずつしかないが、これは説明の簡略化のためであり、条件を細かくしてタブの数を増やすことはもちろん可能である。例えば「料理の国籍性」のカテゴリーに「中華風」「その他」のタブを増やしたり、「食材」のカテゴリーに「野菜」「きのこ」「その他」のタブを増やしたりすることができる。
タブを１列に配列するだけでは足りなければ、２列、３列と列の数を増やして行けばよい。但しタブの大きさは、タッチの失敗を招かないだけの大きさにする必要がある。
【００２８】
検索結果表示窓２０には、上部にレシピ数表示窓２５が設定され、右端近くにスクロールボタン２６が設定されている。レシピ数表示窓２５の下はデータ項目を一覧表示する一覧表示領域２７となる。スクロールボタン２６に指を触れて上下に動かせば、一覧表示領域２７に表示されたデータ項目を上下にスクロールすることができる。
【００２９】
図１は検索画面の初期状態を示す。この時は「料理の国籍性」「食材」「調理法」「調理時間」のいずれのカテゴリーでも「なし」のタブが選択され、これらのタブがハイライト表示されている。それ以外のタブはグレイ表示となっている。
【００３０】
検索に一切の条件がつけられていないという状態なので、レシピ数表示窓にはデータベース１６に格納された料理レシピの総数（図の例では「１０００」）が表示されている。一覧表示領域２７にはシンボル画像と文字タイトルからなるレシピのデータ項目が縦１列に一覧表示される。データ項目は文字タイトルの五十音順等適当な基準でソーティングされている。ソーティングの基準を使用者が任意に選択できるようにしておくとよい。
【００３１】
図１の状態から検索を開始する。使用者は検索結果表示窓２０のいずれかの辺の検索条件タブの一つに、またはいくつかの辺の検索条件タブの一つずつに、タッチして検索条件入力を行う。
【００３２】
検索条件タブにタッチすると、そのタブがハイライト表示になる。そして、そのタブの検索条件を満たすデータ項目がデータベース１６に格納されたデータの中から抽出され、
一覧表示領域に一覧表示される。複数の辺の検索条件タブにタッチすると、重畳した検索条件を満たすデータ項目のみが抽出されて一覧表示されることになり、次第に一覧表示されるデータ項目が絞り込まれて行く。
【００３３】
図２に示す例では、「料理の国籍性」のカテゴリーで「洋風」タブ２１ｃが選択され、「食材」のカテゴリーで「肉」タブ２２ｂが選択され、「調理法」のカテゴリーで「焼物」タブ２３ｂが選択され、「調理時間」のカテゴリーで「なし」タブ２４ａが選択された。レシピ数表示窓２５にはこれらの検索条件を満たすレシピ数「１５」が表示され、一覧表示領域２７にはヒットした１５のレシピのデータ項目（シンボル画像と文字タイトルからなる）が縦１列に一覧表示される。
【００３４】
表示は、検索完了時点で即座に行われる。図１の状態から「洋風」タブ２１ｃを選択した時点で、その条件を満たすレシピ数がレシピ数表示窓２５に表示され、一覧表示領域２７には、もし表示が間に合えば、該当するレシピのデータ項目が一覧表示される。それに加えて「肉」タブ２２ｂを選択した時点で、「洋風で肉」の条件を満たすレシピ数がレシピ数表示窓２５に表示され、一覧表示領域２７には、もし表示が間に合えば、該当するレシピのデータ項目が一覧表示される。さらに「焼物」タブ２３ｂを選択した時点で、「洋風で肉、焼物」のレシピ数（すなわち「１５」）がレシピ数表示窓２５に表示され、一覧表示領域２７に図２の一覧表示が現れることになる。
【００３５】
図２の表示が現れた後、使用者はスクロールボタン２６にタッチしてそれをスライドさせることにより、１５のレシピのデータ項目を全て読み取ることができる。
【００３６】
表示されたレシピの中から一つを選んだら、使用者はデータ項目のシンボル画像または文字タイトルのいずれかにタッチする。すると検索エンジン部１３はタッチされたデータ項目に付属する詳細データを検索結果表示窓２０に表示する。使用者はレシピの詳細データに従って食材を用意し、調理を行う。
【００３７】
レシピの詳細データは、文字情報としてだけでなく、文字情報に静止画像あるいは動画像を加えた形で提供することができる。音声を加えて提供することもできる。
【００３８】
検索条件タブは、同一カテゴリー内で複数選択できるようにしてもよい。例えば「料理の国籍性」のカテゴリーで「和風」タブ２１ｂと「洋風」２１ｃの二つを選択し、「食材」のカテゴリーで「肉」タブ２２ｂと「魚」２２ｃの二つを選択できるようにしてもよい。これにより、情報検索の自由度が広がる。
【００３９】
検索条件タブに対し特定方式のタッチ、例えば「長押し」を行うことにより、その検索条件タブの選択が固定されるようにしてもよい。このようにすれば、同一カテゴリー内で必須条件を含む複数の条件を選択したい場合など、必須の検索条件タブを固定しておき、それ以外の検索条件タブを適宜追加で選択できるので、操作性が向上する。
【００４０】
本実施形態では情報検索装置１を携帯情報端末の形にまとめたが、電子レンジや冷蔵庫等、厨房に置かれる電気機器に組み込むこととしてもよい。
【００４１】
以上、本発明の実施形態につき説明したが、本発明の範囲はこれに限定されるものではなく、発明の主旨を逸脱しない範囲で種々の変更を加えて実施することができる。例えば検索対象は料理レシピに限られない。種々のデータ検索に本発明を応用可能である。
【産業上の利用可能性】
【００４２】
本発明は情報検索装置に広く利用可能である。
【図面の簡単な説明】
【００４３】
【図１】本発明に係る情報検索装置の概略構成図
【図２】本発明に係る情報検索装置の概略構成図にして、図１と異なる状態を示すもの
【符号の説明】
【００４４】
１    情報検索装置
１０  筐体
１１  タッチパネル付き表示部
２０  検索結果表示窓
２１ａ、２１ｂ、２１ｃ、２２ａ、２２ｂ、２２ｃ、２３ａ、２３ｂ、２３ｃ、２４ａ、２４ｂ、２４ｃ  検索条件タブ
【図１】
2010061486.tif 000003
【図２】
2010061486.tif 000004